(57)【特許請求の範囲】
【請求項１】
コンピュータで処理されるファイルに変換された映像情報及び走査装置から読み入れた映像情報がクライアントシステムで複数の倍率に拡大又は縮小されて出力されるように、映像情報の倍率が異なる複数の階層的データに変換させ、前記階層的データに変換された映像情報を複数の領域に分割して得られる複数の下部セルを有するように、かつ各階層的データの下部セルの数が同じになるように、前記階層的データに変換された映像情報を変換する映像変換システムと、
該映像変換システムで変換された映像情報を格納する映像データベースと、
クライアントシステムの要請によって前記映像データベースに格納された映像情報をネットワークを通して伝送するサーバシステムと、を包含して構成されたネットワーク上の高品質巨大映像伝送システム。
【請求項２】
前記映像変換システムは、各分割された映像情報が各下部セル単位に圧縮されることを特徴とする請求項１記載のネットワーク上の高品質巨大映像伝送システム。
【請求項３】
前記下部セル単位の圧縮は、各下部セル毎に定められた方法によってそれぞれ圧縮されることを特徴とする請求項２記載のネットワーク上の高品質巨大映像伝送システム。
【請求項４】
前記各圧縮された各下部セルは、下部セルに関連する情報を包含するインデックスを附与した後、前記階層的データの倍率又は前記下部セルの位置に従って一つのファイルに格納されることを特徴とする請求項２記載のネットワーク上の高品質巨大映像伝送システム。
【請求項５】
前記映像情報は、複数の文書から生成され、文書毎に前記階層的データに変換され、前記下部セルに分割された後、圧縮されて前記階層的データの倍率又は前記下部セルの位置に従って一つのファイルに格納されることを特徴とする請求項１〜請求項３のいずれかに記載のネットワーク上の高品質巨大映像伝送システム。
【請求項６】
映像変換システムは、変換された映像情報に関連する検索キーワードを一緒にデータベースに格納することを特徴とする請求項１〜請求項５のいずれかに記載
のネットワーク上の高品質巨大映像伝送システム。
【請求項７】
前記映像データベースは、変換された映像情報を格納する映像データベース及び前記映像情報とは別に生成された付加情報を格納する付加情報データベースから構成されることを特徴とする請求項１〜請求項６のいずれかに記載のネットワーク上の高品質巨大映像伝送システム。
【請求項８】
付加情報データベースには、前記映像情報とは別に生成された動映像ファイル、サウンドファイル、テキストファイルの中、何れ一つ以上が格納されることを特徴とする請求項７記載のネットワーク上の高品質巨大映像伝送システム。
【請求項９】
付加情報データベースには、前記映像情報とは別に生成された付加情報ファイルを変換された映像情報と一緒に伝送させるように管理する管理ファイルが包含されることを特徴とする請求項７または請求項８記載のネットワーク上の高品質巨大映像伝送システム。
【請求項１０】
前記サーバシステムには、クライアントシステムの要請によって、変換された映像情報を伝送する伝送システムが包含されることを特徴とする請求項１〜請求項９のいずれかに記載のネットワーク上の高品質巨大映像伝送システム。
【請求項１１】
映像情報を変換する方法であって、
ａ）映像情報がクライアントシステムで複数の倍率に拡大又は縮小されて出力されるように、映像情報の倍率が異なる複数の階層的データに変換させるステップと、
ｂ）前記階層的データに変換された映像情報を複数の領域に分割して得られる複数の下部セルを有するように、かつ各階層的データの下部セルの数が同じになるように、前記階層的データに変換された映像情報を変換させるステップと、
ｃ）前記分割された映像情報を各下部セル単位に圧縮して、変換された映像情報をデータベースに格納することで、クライアントシステムの要請によってネットワークを通してサーバシステムから映像情報を伝送するステップとを順次行なうことを特徴とする、ネットワーク上の高品質巨大映像伝送方法。
【請求項１２】
前記ネットワークを通してクライアントシステムがサーバに接続されると、サーバシステムは、前記変換された映像情報を出力し得るクライアントプログラムを自動に伝送することを特徴とする請求項１１記載のネットワーク上の高品質巨大映像伝送方法。
【請求項１３】
前記サーバシステムは、映像情報の中から、クライアントシステムが要請した部分に該当する部分の各下部セルのみを伝送することを特徴とする請求項１１記載のネットワーク上の高品質巨大映像伝送方法。
【請求項１４】
前記変換された映像情報は、映像情報とは別に生成された付加的情報と一緒に格納されることを特徴とする請求項１１記載のネットワーク上の高品質巨大映像伝送方法。
【請求項１５】
前記変換された映像情報は映像データベースに格納され、映像情報とは別に生成された付加的情報は別途の付加情報データベースに格納されることを特徴とする請求項１１記載のネットワーク上の高品質巨大映像伝送方法。
【請求項１６】
前記サーバシステムは、クライアントの要請によって前記映像データベースと前記付加情報データベースとを連動させて前記付加情報を一緒にクライアントシステムに伝送することを特徴とする請求項１５に記載のネットワーク上の高品質巨大映像伝送方法。
【請求項１７】
前記サーバシステムは、クライアントの要請によって高品質映像データベースから階層的データ中、前記要請に該当する倍率のデータを伝送することを特徴とする請求項１１記載のネットワーク上の高品質巨大映像伝送方法。
【請求項１８】
圧縮された各下部セルは、下部セルに関連する情報を包含するインデックスを附与した後、前記階層的データの倍率に従って、変換された映像情報を一つのファイルに格納することを特徴とする請求項１１記載のネットワーク上の高品質巨大映像伝送方法。
【請求項１９】
一つ以上の文書を映像情報に変換して、該映像情報をさらに変換する方法であって、
ａ）映像情報がクライアントシステムで複数の倍率に拡大又は縮小されて出力されるように、映像情報の倍率が異なる複数の階層的データに変換させるステップと、
ｂ）階層的データに変換された映像情報を分割することにより得られる下部セルを有するように、かつ各階層的データの下部セルの数が同じになるように、前記階層的データに変換された映像情報を変換させるステップと、
ｃ）分割された映像情報を各下部セル単位に圧縮して、変換された映像情報をデータベースに格納することで、クライアントシステムの要請によってネットワークを通してサーバシステムから映像情報を伝送するステップとを順次行なうことを特徴とする、ネットワーク上の高品質巨大映像伝送方法。
【請求項２０】
前記文書の変換は、前記文書を走査して映像情報に変換することを特徴とする請求項１９記載のネットワーク上の高品質巨大映像伝送方法。
【請求項２１】
ネットワークを通してクライアントシステムがサーバシステムに接続すると、該サーバシステムは、前記データベースに格納された映像情報を探索及び出力し得るグラフィック使用者インターフェイスが包含されたクライアントプログラムを自動に伝送することを特徴とする請求項１９記載のネットワーク上の高品質巨大映像伝送方法。
【請求項２２】
サーバシステムは、映像情報のうちのクライアントシステムが要請した部分に該当する部分の各下部セルのみを伝送することを特徴とする請求項１９記載のネットワーク上の高品質巨大映像伝送方法。
【請求項２３】
変換された映像情報は、映像情報とは別に生成された付加的情報と一緒に格納されることを特徴とする請求項１９記載のネットワーク上の高品質巨大映像伝送方法。
【請求項２４】
変換された映像情報は、映像データベースに格納され、映像情報とは別に生成された各付加情報は、別途の付加情報データベースに格納されることを特徴とする請求項１９記載のネットワーク上の高品質巨大映像伝送方法。
【請求項２５】
前記付加情報データベースには、前記付加情報を格納する付加情報ファイル及び前記付加情報と該当映像情報とを連動させる管理ファイルが包含されることを特徴とする請求項２４記載のネットワーク上の高品質巨大映像伝送方法。
【請求項２６】
前記管理ファイルは、映像情報に該当する付加情報の種類及び付加情報が表示される位置を包含することを特徴とする請求項２５記載のネットワーク上の高品質巨大映像伝送方法。
【請求項２７】
付加情報は、動映像、サウンド、テキスト、映像データ、フラッシュアニメーション及びウェブページアドレス中のいずれか一つ以上を包含することを特徴とする請求項２６記載のネットワーク上の高品質巨大映像伝送方法。
【請求項２８】
前記サーバシステムは、クライアントの要請によって高品質映像データベースから階層的データ中、前記要請に該当する倍率を有するデータを伝送することを特徴とする請求項１９記載のネットワーク上の高品質巨大映像伝送方法。
【請求項２９】
クライアントシステムの画面の拡大時および／または縮小時に、映像情報とは別に生成された付加情報を階層的データと一緒に伝送することを特徴とする請求項２８記載のネットワーク上の高品質巨大映像伝送方法。
【請求項３０】
前記サーバシステムでは、映像情報に変換された文書中クライアントシステムから要請された部分に該当する下部セルのみを伝送し、
前記クライアントシステムは、
ａ）伝送された各下部セルを実時間に圧縮を解除し、
ｂ）圧縮された各下部セルを実時間に一つの映像に統合し、
ｃ）クライアントプログラムのグラフィック使用者インターフェイスの画面ウィンドを通して実時間に統合映像を出力することを特徴とする請求項１９記載のネットワーク上の高品質巨大映像伝送方法。
【請求項３１】
前記グラフィック使用者インターフェイスは、機能ボタン領域、前記映像に関する情報が表示されるセクションメニュー領域、検索機能領域及び映像ディスプレイ領域を包含することを特徴とする請求項３０記載のネットワーク上の高品質巨大映像伝送方法。
【請求項３２】
前記機能ボタン領域は、文書を選択し得る項目、選択された文書のページを選択し得る項目、ディスプレイされた文書の一部分を選択し得る項目、選択された一部分を印刷し得る項目及び選択された一部分を別途のファイルに格納し得るスクラップ機能を包含する項目をそれぞれ包含して構成されることを特徴とする請求項３１記載のネットワーク上の高品質巨大映像伝送方法。
【請求項３３】
前記セクションメニュー領域は、文書の分類によるメニューを羅列する領域を包含し、前記検索機能領域は、検索キーワードを入力し得る領域及び検索結果が示される領域を包含することを特徴とする請求項３１記載のネットワーク上の高品質巨大映像伝送方法。
【請求項３４】
前記検索結果は、目録の形態にセクションメニューの下段に表示される機能を包含することを特徴とする請求項３３記載のネットワーク上の高品質巨大映像伝送方法。
【発明の詳細な説明】
【０００１】
【発明の属する技術分野】
本発明は、ネットワーク上の高品質の巨大映像伝送システム及びその伝送方法に係るもので、詳しくは、定期的に発行される日刊新聞及び雑誌を利用して、全世界のインターネット利用者に、実時間に紙面のサービスを提供し得るネットワーク上の高品質巨大映像伝送システム及びその伝送方法に関するものである。
【０００２】
【従来の技術】
一般に、映像データのインターネットを通して行なわれるサービスは、ネットワーク帯域幅の限界と、主記憶装置の処理時間とにより、クライアントコンピュータを用いて高品質の映像データをディスプレイする場合に、その時間が長引くと共に、ネットワーク帯域幅の拡張及び主記憶装置の容量が増加されるため、全体システムの構築費用が増加される。
【０００３】
したがって、従来のインターネットを通した新聞及び雑誌サービスは、主にテキストを中心とするサービス又はPDF（Plan  Design  Factor）形式に提供されていた。即ち、前記テキスト基盤のサービスは、単純に文字のみで情報を提供するため、付加されるイメージの情報及び多様な内容の構成には限界を有している。かつ、前記PDF形式の紙面サービスのために従来にはインターネットによって、該当するページ別にファイルをダウンロードして専用プログラムを利用することで、該当の資料を開いてみるという程度であった。
【０００４】
【発明が解決しようとする課題】
しかるに、従来インターネットを通した新聞及び雑誌サービスにおいては、使用者所望の部分を毎度ダウンロードしないと、紙面を開いて見ることができないため、全体の内容を実時間に提供することができなくなって、不便であるという不都合な点があった。
【０００５】
また、紙面の構成及び使用者インターフェイスが直観的でなく、画面の更新時間が使用者のコンピュータシステム性能の影響を受けるために、高品質映像資料の実時間サービスを受けるためには不適切であるという不都合な点があった。
【０００６】
本発明は、このような従来課題に鑑みてなされたもので、ネットワーク帯域幅の拡張及び主記憶装置の容量を増加することなく、高速に映像情報を提供して実時間にディスプレイし得る伝送システム及び伝送方法を提供することを目的とする。
【０００７】
また、オフラインに提供される新聞及び雑誌の形式をそのまま高品質の映像資料に変換してオンライン上で実時間に提供し、多様なマルチメディアコンテンツと付加情報とを連結して総合的情報提供媒体として活用し得る方法を提供することを目的とする。
【０００８】
【課題を解決するための手段】
このような目的を達成するため、本発明に係るネットワーク上の高品質巨大映像伝送システムは、コンピュータで処理されるファイルに変換された映像情報及び走査装置から読み入れた映像情報のデジタル情報を高品質イメージのフォーマットに変換させる映像変換システムと、該映像変換システムで生成された高品質映像情報を格納する映像データベースと、クライアントシステムの要請によって前記映像データベースに格納された映像情報をネットワークを通して伝送するサーバシステムと、を包含して構成されることを特徴とする。
【０００９】
また、本発明に係るネットワーク上の高品質巨大映像の伝送方法は、デジタル情報を高品質映像データに変換する方法であって、ａ）デジタル情報がクライアントシステムで多様な倍率に拡大又は縮小されて出力されるように、デジタル情報の倍率を相違にして階層的データに変換させるステップと、ｂ）デジタル情報を複数の分割された領域を有するように複数の下部セルに変換させるステップと、ｃ）前記分割されたデジタル情報を各下部セル単位に圧縮して、変換された高品質映像データをデータベースに格納することで、クライアントシステムの要請によってネットワークを通してサーバシステムから高品質映像データを伝送するステップとを順次行なうことを特徴とする。
【００１０】
【発明の実施の形態】
以下、本発明の実施の形態に対し、図面を用いて説明する。
【００１１】
本発明に係る伝送システムにおいては、図１に示したように、原本資料を所定の規則によってデジタル化して高品質映像フォーマットに変換する映像変換システム20と、デジタル映像資料を格納して、管理するデータベース30と、ネットワークを通して実時間に情報を伝送するサーバシステム10と、を包含して構成されている。
【００１２】
かつ、前記サーバシステム10においては、伝送システム12を別途に包含することができるし、高品質映像データを生成する前記映像変換システム20及び前記データベース30と連動して必要な情報を抽出してネットワークを通して後述するクライアントシステム40に伝送する。また、前記データベース30は、映像情報が格納された映像データベース32及び付加情報が格納された付加情報データベース34をそれぞれ別途に包含して構成されている。
【００１３】
そして、本発明に係る映像データの伝送方法においては、図２に示したように、サーバクライアントモデルを適用してサーバシステム10とクライアントシステム40間の実時間データ伝送を遂行するが、前記クライアントシステム40は、一つ又は複数のシステムがネットワークを通して同時にサーバシステムと通信することができるように、中央処理処置と、一つ以上の記憶装置及び出力装置と、を包含して構成される。
【００１４】
以下、本発明の特徴について従来装置と比較して説明する。
即ち、従来インターネットを通した映像サービスシステムにおいては、図３に示したように、サーバ50a側のデータベース50bに格納された映像資料は、クライアントシステム52の要求によってネットワーク51を通してクライアントシステムに伝送され、各主記憶装置53a、53b、．．．53nをそれぞれ経てビデオバッファ54を通して画面ウィンド55にディスプレイされる。この時、映像データの容量は、他の情報等と比較する時、非常に大きいため、クライアントシステムの主記憶装置が極めて大きくなるので、伝送時間が長引いて画面ウィンドにディスプレイされるまでかかる時間が延長される。また、前記主記憶装置53a、53b、．．．53nの物理的な容量によってディスプレイし得る映像資料の大きさが制限されるため、高品質の大型映像資料を実時間に提供することが容易でない。
【００１５】
しかし、本発明に係る伝送方法においては、図４に示したように、サーバ50a側のデータベース50bに格納される高品質映像資料は、分割された形態に圧縮して格納されるため、クライアントが要求する部分のみがサーバから前記ネットワーク51を通してクライアントシステム52に伝送された後、該クライアントシステムで実時間に圧縮が解除されて主記憶装置53及びビデオバッファ54をそれぞれ経て画面ウィンド55にディスプレイされる。したがって、本発明に係るシステム及び方法においては、クライアントシステムの記憶装置の容量が小さいか又は、ネットワーク帯域幅が小さくてもクライアントが要求する情報を実時間的にディスプレイすることができる。
【００１６】
本発明のネットワークは、有線及び無線インターネットと、各種のイントラネット及びその他二つ以上の電子的媒体を連結して通信を可能にする全ての手段を包含するが、以下、それらインターネットに対し説明する。
【００１７】
高品質映像データ
本発明に係る高品質映像データは、巨大映像をネットワークを通してクライアントシステムで迅速に表示する特殊フォーマットに従ったものであって、該フォーマットを使用すると、巨大映像を遅延することなく迅速に表示することができる。かつ、巨大映像を高速に探索することができるし、階層化されたデータを利用して巨大映像を小さく縮小した状態で概略的な情報を把握した後、再び拡大して細部内容を確認することができるし、このような拡大過程及び縮小過程も迅速に行なわれる。
【００１８】
したがって、このように、巨大なイメージ情報を包含しているデジタル情報は、本発明の映像変換システムによって次のような重要な三つの過程を経て変換される。
(1)巨大なイメージを倍率に従って多重に階層化されたデータに変換
(2)巨大なイメージを複数の各下部セルに分割
(3)それら分割されたセル単位にイメージを圧縮
高品質映像データに変換されるためには、ＢＭＰ（Bit Map）、ＧＩＦ（Graphic Interchange Format）、ＰＮＧ（Portable Network Graphics）およびＪＰＧ（Joint Photographic Experts Group）のような一般的のイメージファイルが原本コンテンツに使用され、PDFなどの文書ファイルは、イメージファイルに変換して使用される。
【００１９】
各原本イメージファイルは、図５に示したような過程を経て高品質映像データに変換されるが、先ず、イメージファイルから階層的に構造化された複数のレイヤ層を生成し(60)、それら階層的データを複数の各下部セルに分割し(62)、該分割されたセル単位にデータを圧縮した後(64)、それら圧縮された各セルにそれぞれインデックスを附与した後(66)、各セルを統合してデータベースに格納する(68)。以下、その形成過程に対して詳しく説明する。
【００２０】
階層的データ生成
本発明は、ネットワークを通して実時間に伝送されるマルチメディアデジタル刊行物などの各イメージが段階(倍率)別に、迅速で、かつ明確に拡大又は縮小される高品質の映像を提供するために、階層的構造を有する映像データを生成する。即ち、原本イメージを1/2n、．．．、1/4、1/2、1倍のような倍率に変換された各段階別に複数のデータレイヤ(layer)を生成する。
【００２１】
拡大又は縮小段階別に生成されたデータレイヤの一例として、図５に示したように、高品質の各個別映像は、それぞれ拡大又は縮小時にディスプレイされる倍率によってレイヤ別に構成され、拡大又は縮小段階によって各レイヤ70、80、90が形成される。即ち、拡大する時には、上方側に位置したデータ70から中間データ80、下方側のデータ90の順位にディスプレイされ、反対に縮小する時には、その反対の順位にディスプレイされる。また、ディスプレイされる画面が非連続的に変化することもできる。
【００２２】
このような階層的な構造で、レイヤの数はグラフィック使用者インターフェイス(GUI  :  Grapical  User  Interface)によって決定することができるし、図６には、３段階のデータレイヤが提示されているが、グラフィック使用者インターフェイスは４段階に拡大又は縮小をすることができるし、このとき、映像データは、４階層を有するように変換される。
【００２３】
巨大なイメージの分割
生成したデータレイヤは、複数の各下部セルに分割させる。このようなデータの分割は、巨大なイメージを迅速に伝送することができる。巨大なイメージが複数の下部セルに分割される単位は、クライアントシステムの処理能力及びネットワーク上の伝送速度によって変換されるが、最適の範囲に下部セルの数が決定される。分割された各イメージは、各セルにインデックスが付けられ、各位置又は順位に従って統合されて、該統合された各セルは、一つのファイルに格納されてクライアントの要請によって巨大なイメージ中の該当部分の各セルのみが伝送され、このような過程によってクライアントは、迅速に所望する部分のイメージを見ることができる。
【００２４】
かつ、図７に示したように、分割された各イメージデータをネットワークの環境で実時間にディスプレイする過程に対して説明すると、次のようである。即ち、データベースに格納された個別映像データ110、120がそれぞれ各下部セルに構成されている。図面中、Eij、Fijはi行j列の各下位セルを表示する。
【００２５】
映像データを各下部セル単位に分割して格納することは、前述したように、クライアントシステムの処理能力及びネットワークの伝送速度によって決定されるが、分割される下部セルの数が余り多いと、クライアントシステムの中央処理処置の処理が却って減少する憂いがあり、下部セルの数が小さ過ぎると、ネットワークを通した伝送速度が低減される。したがって、最適範囲に分割することが非常に重要である。
【００２６】
例えば、クライアントシステムの画面出力解像度が1024×768ピクセルである時、一画面に出力し得る大きさのイメージを横5、縦4つの下部セルに分割する。このように最適に分割された各セルは、伝送過程又はイメージ出力過程の遅延が無くなるので、迅速なイメージの伝送が可能になる。
【００２７】
また、このように分割された各下部セルは、後述するように圧縮された後、インデックスが附与されて全体イメージ内の位置及び座標などが記録され、一つのファイルに統合されてデータベースに格納される。
【００２８】
分割された映像データの圧縮
本発明に係る高品質映像データは、伝送速度を向上させるために圧縮された状態に格納される。
【００２９】
データの圧縮は、分割された各下部セル単位に圧縮することが好ましく、それら下部セルは、公知されたJPEG及びGIFなどの圧縮技術を使用することができる。即ち、各下部セルを全て同様な方法によって圧縮することもできるし、各セルを他の方法により個別的に圧縮することもできる。例えば、図面と写真とが一緒に混合されているデータの場合、図面を構成する部分にはGIF圧縮を、写真部分にはJPEG圧縮をすることができる。このようにすると、イメージの圧縮効率を一層向上させることができる。
【００３０】
次いで、圧縮された各下部セルは、順位統合され、それぞれインデックスを附与した後、データベースに格納される。このようなインデックスは、下部セルの基礎情報は無論でそれら下部セルと関連された付加的情報も一緒に包含することができる。サーバシステムは、前記インデックスに接近して所望する映像の各下部セルのみを選択して高速に伝送される。
【００３１】
分割されたイメージの伝送
クライアントシステムで特定イメージ情報に対する要請(例えば、グラフィック使用者インターフェイス環境下で特定項目をクリックするか又は、ビューポイントを移動する場合)が発生すると、サーバシステムでは、データベースに格納された映像データから、クライアントが要求した情報と関連されている各下部セルのみを選択することでクライアントシステムに伝送する。
【００３２】
例えば、クライアントが図７の一つの個別映像データ110中、特定部分110aの情報を要請する場合、この部分に対する各下部セルは、E11、E21、E12、E22であるので、このように関連された各下位セルE11、E21、E12、E22のみをネットワークを通して伝送し(130)、クライアントシステムは、伝送された下部セルを中央処理処置で圧縮を解除して(圧縮に対しては後述する)出力すべき部分110aのみを主記憶装置を経て出力部に出力する(140)。
【００３３】
一方、クライアントシステムで一つ以上の個別映像にかかってある情報を要請する場合には、次のような方法によって各下部セルを伝送する。例えば、図７のもう一つの特定部分120aをクライアントが要請した場合、サーバシステムは、二つの個別映像データ110、120中、前記特定部分120aと関連されている各下部セルの第１映像データ110に属する下部セルE33及びE34と、第２映像データ120に属する下部セルF13及びF14とをそれぞれ選択してクライアントシステムに伝送する。次いで、該クライアントシステムは、伝送された各下部セルを中央処理処置で圧縮を解除して前記特定部分120aのみを主記憶装置を経て出力部に出力する(140)。
【００３４】
このように個別映像データを下部セルに分割し、該分割された各下部セル中、クライアントが要請した各セルのみを伝送すると、クライアントシステムの主記憶装置の容量が小さいか又は、中央処理処置の処理能力が低減するか若しくはネットワーク上のデータ伝送速度が憂いとき(即ち、ネットワークの伝送線路のバンドの幅が小さくても)巨大なイメージを迅速に伝送して出力することができる。
【００３５】
クライアント/サーバモデル
映像変換システムから生成された高品質の映像データは、クライアントシステムが通常のイメージファイルの伝送を受ける時より一層小さいメモリー及び中央処理処置の演算のみによって出力することができる。尚、かつ、このようなことは、巨大なイメージデータから分割される下部セル中、必要な部分のみを選択して伝送した後、出力するために、最初のイメージサイズ(情報量)が大きくなるほど、かつ、データのレイヤ数が多いほど一層向上される。
【００３６】
本発明者達は、このような長所をインターネットラインのネットワークを利用するクライアント/サーバモデルに適用して強力なイメージを提供し得るように研究した。したがって、本発明は、限定されたネットワーク伝送能力(即ち、バンド幅)と出力画面の限界、伝送されたデータ格納能力の限界、データ処理能力の限界などのクライアントシステムの限定されたディスプレイ能力を最大限活用しながらも超巨大のイメージを実時間に提供することができる。
【００３７】
サーバシステムは、高品質映像データが格納されている映像データベースと付加情報が格納されている付加情報データベースとが連動しながら、クライアントシステムから要求される情報を実時間に提供することができる。サーバシステムは、図１に示した伝送システム12により各データベースから必要な情報を選択して相互連動させてクライアントシステムに伝送することができるし、データベースを一緒に包含することもできる。かつ、映像データベース及び付加情報データベースは、図１に示したように、別途のデータベースに構成することができる。
【００３８】
また、クライアントシステムは、中央処理処置、記憶装置及び出力装置を備え、ネットワークを通して各種サーバに接続されるブラウザーを有している。クライアントシステムは、ネットワークを通して本発明に係る高品質映像データ伝送サーバに接続することで、高品質映像データを処理し得るクライアントプログラムの伝送を自動に受けることができる。
【００３９】
前記クライアントプログラムは、多様な形態のグラフィック使用者インターフェイスを提供することができるし、サーバから提供される多様なコンテンツの伝送を迅速に受けて、クライアントシステムから出力する。図８は、高品質映像データを出力するための使用者インターフェイスの一例を示した概略図で、図示されたように、使用者インターフェイスは、機能ボタン領域201、セクションメニュー及び検索領域202及び映像ディスプレイ領域203により構成されることで、伝送される映像データの種類及び使用者の便宜上多様な構成及び形態を有することができる。
【００４０】
このように、本発明に係る高品質映像データは、クライアント/サーバモデルに適用してネットワーク上で効率的で、かつ高速に巨大なイメージ情報を迅速に伝送してクライアントシステムから出力する。既存のPDFサービス及びJPEG基盤のイメージ提供のように、イメージファイル全体を伝送することなく、クライアントシステムから要請した部分のみを伝送して実時間に出力するため、優秀な性能を奏することができる。また、階層的データの構造によって倍率に係るイメージの拡大及び縮小を高速に処理することができるし、イメージ情報を効率的に探索することができる。即ち、イメージストリーミング（Streaming）によるイメージ情報の実時間伝送及び出力探索が可能になる。
【００４１】
本発明に係る高品質映像データの各インデックスには、下部セルと関連した情報だけでなく付加的情報を記録することができる。このような付加情報には、各下部セルと連動される動映像、テキスト、サウンド及びウェブページ(Web  Page）情報などが包含され、サーバシステムが映像データと一緒に前記付加情報をクライアントシステムに伝送すると、クライアントシステム側では、イメージと一緒に付加的に動映像、テキスト、ウェブページなどの情報を受けることができる。
【００４２】
クライアントの情報要請
インターネットなどを利用する各使用者は、クライアントシステムのモニターのような出力部の画面上に表示される表示点(view  point）をマウスで動かしながらイメージを探索するが、クライアントシステムから要求するイメージ情報はサーバシステム側にあるので、クライアントシステムはサーバに該当の情報の伝送を要求しなければならない。
【００４３】
このような過程は、予め定義された一連のストリーミングパケット(Streaming  Packet)により動作し、サーバシステムの伝送システムと、クライアントシステムに予め伝送されたクライアントプログラムとによって次のように行なわれる。
【００４４】
即ち、使用者がクライアントシステムのネットワークを通してサーバに接続するが。このとき初めて接続する使用者の場合には、自動に、クライアントプログラムがサーバから伝送され、(予めサーバに接続した使用者にはクライアントプログラムが再び伝送されない。)該クライアントプログラムは、クライアントシステム内でグラフィック使用者インターフェイスを提供することで使用者がサーバから提供される情報を探索することができるようにする。
【００４５】
使用者は、クライアントプログラムが提供するインターフェイス内で所望のイメージ情報及びイメージの倍率変化などを要請する。このような過程は、画面に表示されるインターフェイス上の項目及びアイコン(icon)などをマウス(mouse)でクリックするする行為である。
【００４６】
次いで、ネットワークを通してサーバにクライアントシステムの要請が伝達され、該サーバは、前記クライアントシステムの要求情報に該当する下部セルをインデックスから探して一つずつ実時間に伝送する。
【００４７】
次いで、クライアントシステムでは、サーバから伝送された各下部セル(部分イメージ)を中央処理処置で実時間に圧縮解除して、主記憶装置及びビデオバッファを経て画面上にディスプレイすることで、クライアントシステムでは、イメージ処理の遅延無しに直ちに画面が出力される。
【００４８】
かつ、使用者がモニター画面のインターフェイス上で新しい領域に表示点を移動させるか又は、イメージの倍率を相違にすると、クライアントプログラムは新しく受けようとするイメージ領域又は他の倍率のイメージに対する情報要請をサーバに伝送する。
【００４９】
また、本発明に係る高品質映像データの伝送時に、クライアントシステムから出力される画面が更新される場合、図９に示したように、初期にサーバ側のデータベースから伝送された表示データ110a、120aが画面に表示され(250)た後、画面が移動すると(260)、新しい領域260aに対する映像データをサーバ側のデータベースから受けてクライアントシステムで元来の表示データ(110a若しくは120a)に統合して新しい統合映像(260a及び110a、若しくは260a及び120a）を構成して画面ウィンドにディスプレイする。したがって、画面の変化が遅延又は、不連続的になることなく、あたかも動映像のような連続的ディスプレイが可能になる。
【００５０】
付加情報の提供
クライアントシステムからの要請によってサーバがデータベースで映像データを選択する過程中、インデックス上に付加情報が包含されている場合には、このような付加情報を映像データと一緒にクライアントシステムに伝送する。
【００５１】
かつ、前記付加情報は、サーバ側の付加情報データベースに格納されるが、該データベースには付加情報が表示される位置（即ち、付加情報が一緒にディスプレイされる映像データ）、付加情報の種類及び付加情報の属性(例えば、テキスト情報であるときは、色及びフォント、動映像情報であるときは、映像の経路など)が格納されている。このような付加情報は、別途のツール(Tool)により生成するか又は、手作業により入力することもできる。
【００５２】
また、本発明に係る高品質イメージと一緒に提供される付加情報は、別途のファイルによって管理し、そのファイルを本発明では、MAPファイルに定義する。該付加情報管理ファイルは、スクリプト(Script)言語に構成され、高品質イメージの解像度を基準に付加情報が表示される位置及び属性が包含される。
【００５３】
例えば1、000×1、000の高品質イメージの500×500位置に、Abc.mpgという動映像を提供する場合、イメージファイル名がAbc.IPQであると、これとファイル名が同様なAbc.MAPを生成して次のように定義する。
【００５４】
Movie500、500Abc.mpg
付加情報ファイル(Abc.mpg)及び管理ファイル(Abc.MAP）は、付加情報データベースに格納する。クライアントが要請したイメージ情報がAbc.IPQに該当する時、サーバは、該イメージ情報をAbc.MAPを連動させてクライアントシステムにAbc.mpgと一緒に伝送されるようにする。
【００５５】
実施の形態
以下、本発明の第１実施形態としてマルチメディアデジタル刊行物の実時間サービスに対して説明する。
【００５６】
図１０は、本発明の第１実施形態に係るデジタル刊行物として、新聞の実時間サービスシステムの過程を示したフローチャートであって、図示されたように資料収集段階（310）、製作段階（320）、格納段階（330）、伝送段階（340）及びディスプレイ段階（350）と、を包含して構成されている。
【００５７】
かつ、前記資料収集段階（310）では、実時間統合データとして個別映像データ及び各付加情報データが収集され、前記個別映像データは、相互連関性を有して、それら個別データは、例えば、新聞の各紙面を走査したデータ、雑誌の各紙面を走査したデータ、PDFファイルから変換された映像データ、組版システムから直接変換された映像データなどである。また、この段階で使用される付加情報データには、動映像ファイル、サウンドファイル、映像ファイル、テキスト情報及びウェブページアドレスなどが全て包含される。
【００５８】
また、前記製作段階（320）は、前記資料収集段階（310)で収集されたデータを高品質の個別映像データに変換して、付加情報データと連結する段階である。
【００５９】
即ち、PDF及び組版システムから変換されたファイルは、本発明に係る高品質イメージファイルに変換し、紙新聞及び雑誌は走査してイメージファイルに製作することで高品質イメージを生成する。この過程では、前述したデータレイヤ生成、イメージの分割及び圧縮などの方法が使用される。
【００６０】
また、この段階では、イメージ検索に必要な検索キーワードを抽出し、該キーワードは、例えば、新聞の場合、ヘッドラインと関連した主題語を示す。かつ、個別イメージ、検索キーワード及び資料収集段階(310)で収集された各付加情報の相互連関性を決定し、このとき、手作業又は別途の著作道具によって付加情報を編集するか又は、相互関連した各データを連動させて統合することができる。
【００６１】
次いで、各データを高品質映像データベース及び付加情報データベースにそれぞれ格納する(330)。
【００６２】
伝送段階(340)では、インターネットなどのネットワーク環境でクライアントの要求によって情報を伝送すると、前述したように、クライアントが要請したデータ表示領域(110a若しくは120a)のみを伝送する。
【００６３】
ディスプレイ段階(350)では、伝送されたデータ表示領域をクライアントシステム内で中央処理処置、主記憶装置、ビデオバッファなどを経て画面ウィンド上に表示する。
【００６４】
また、サーバは、図１０に示したように、クライアントから個別映像及び付加情報に対する要求がある場合、データベースに格納されているデータを読み入れてインターネットを通してクライアントに伝送し、この時、クライアントが要求する映像データが図７の120aのように複数の個別映像にかかている場合には、該当のデータ(即ち、各下部セル)を実時間に伝送し、クライアントシステムでは、これらを統合して一つの映像に構成し、付加情報は、付加情報データベースから該当情報を選択して映像データと一緒に実時間にストリーミング形式に伝送する。
【００６５】
そして、本発明に係る第２実施形態として、図１１に示したように、デジタル紙面新聞のGUI(Grapical  User  Interface）に構成することができる。
【００６６】
このとき、機能ボタン領域(図８の201に該当)には、新聞を種類別に選択する道具、選択した新聞のページを選択する道具、ディスプレイされたデジタル紙面新聞の一部分を選択する道具、選択した領域を印刷する道具、選択した領域又は個別映像を別途のファイルに格納するスクラップ機能などが包含される。
【００６７】
かつ、セクションメニュー及び検索領域(図８の202に該当)には、新聞の内容構成によって大きく分けて個別映像の情報が表示され、全体記事、政治、経済、社会、文化、国際、スポーツ、演芸、地域及び連載などに分類される。また、検索領域は、検索キーワードを入力する部分と検索結果が表示される部分とに構成され、その検索結果は、目録の形態にセクションメニューの下段に表示される。
【００６８】
また、映像ディスプレイ領域(図８の203に該当)には選択された個別映像及び実時間に統合された映像がディスプレイされる。
【００６９】
サーバ側のデータベースから伝送される高品質の紙面新聞若しくは紙面雑誌の映像は、本実施形態の方法以外にも多様な方法にディスプレイすることができる。
【００７０】
一方、使用者がマウスを利用して画面にディスプレイされた映像を沿って表示点を動かすと、新しく更新される領域のみがサーバから伝送を受けてディスプレイされることで、使用者は、所望する全ての方向に高品質デジタル紙面映像を移動させても、伝送の遅延無しに実時間に新しい領域の映像データが伝送されるため、画面上で見ることができる。かつ、使用者が所望する地点をマウスでクリックすると、自動にその地点を画面の真中に位置される。
【００７１】
映像の拡大/縮小機能は、所望する位置にマウスカーソルを位置させてクリックさせることで、該当の領域を拡大/縮小することができる。その拡大/縮小は、１段階ずつレイヤ単位に行なうことができるし、また、最上位の段階(図６の70)から最下位の段階(図６の90)まで一度で行なうこともできる。この時にも、更新されるデータに対しては、図９に示された方法でディスプレイされる。一方、イメージの拡大又は縮小時には、サウンド、イメージ、テキスト及びフラッシュアニメーションなどのコンテンツを利用して多様な効果を同時に奏することができる。
【００７２】
クライアントシステムの出力部からディスプレイされる映像の特定位置にハイパーリンク(hyperlink)された付加情報がある場合、該当情報は実時間に画面上にディスプレイされる。この時、付加情報がディスプレイされる領域は、紙面映像に包含されることがあるし、新しいウィンドを開いてディスプレイすることもできる。
【００７３】
高品質紙面映像と一緒に使用される付加情報データには、動映像ファイル、サウンドファイル、フラッシュアニメーション、高品質映像ファイル、テキスト情報及びウェブページのアドレスなどが全て包含される。
【００７４】
図１２は、本発明の他の実施形態として、マルチメディア刊行物の一つの雑誌の実時間サービスを示した図面であって、前述の実施形態と同様に、多様な付加情報を高品質映像データと一緒に提供することができるし、画面上に示された情報以外の他の映像の要請がある場合、実時間に画面を更新してクライアントシステム上に出力することができる。
【００７５】
【発明の効果】
以上説明したように、本発明に係るネットワーク上の高品質巨大映像伝送システム及びその伝送方法は、ネットワーク帯域幅の拡張及び主記憶装置の容量を増加させることなく、高品質の映像データを実時間に提供し得るという効果を奏する。
【００７６】
また、本発明に係るネットワーク上の高品質巨大映像伝送システム及びその伝送方法は、巨大映像情報の伝送に関して、クライアントシステムを拡張することなく、時間の遅延無しに、高品質の映像データを実時間に提供し得るという効果を奏する。
【００７７】
また、本発明に係るネットワーク上の高品質巨大映像伝送システム及びその伝送方法は、高画質マルチメディアデジタル刊行物の実時間サービスを可能にするし、相互関連された映像データ及び付加情報データを一つのグラフィック使用者のインターフェイスを通して提供することで、使用者が容易に多様な情報を同時に獲得し得るという効果を奏する。
【００７８】
また、本発明に係るネットワーク上の高品質巨大映像伝送システム及びその伝送方法によると、所望の情報を迅速に検索することができるし、画面を拡大する場合にも、同様な解像度を維持することができる。
【００７９】
なお、本発明に係る高画質マルチメディアデジタル刊行物の実時間サービスは、定期的に発行される全ての刊行物に応用することができるし、多様なオンラインサービスを可能にし得るという効果を奏する。
【図面の簡単な説明】
【図１】  本発明に係る伝送システムの構成を示した模式図である。
【図２】  本発明に係るサーバとクライアント間の通信を示した模式図である。
【図３】  従来の映像サービスシステム概略系統図である。
【図４】  本発明に係る映像サービスシステム概略系統図である。
【図５】  本発明に係る高品質映像データの生成過程を示したフローチャートである。
【図６】  本発明に係る階層化されたデータを示した模式図である。
【図７】  本発明に係る巨大なイメージを分割して伝送する過程を示した模式図である。
【図８】  本発明に係るグラフィック使用者インターフェイスを示した模式図である。
【図９】  本発明に係る映像情報の伝送によって画面が更新されることを示した模式図である。
【図１０】  本発明に係るマルチメディアデジタル刊行物の実時間サービス過程を示したフローチャートである。
【図１１】  本発明に係るデジタル紙面新聞のGUIの一例を示した画面キャプチャーである。
【図１２】  本発明に係るデジタル紙面雑誌のGUIを示した画面キャプチャーである。
【符号の説明】
10  サーバシステム、12  伝送システム、20  映像変換システム、30  データベース、32  映像データベース、34  付加情報データベース、40  クライアントシステム。
【図１】
0004131826.tif 000002
【図２】
0004131826.tif 000003
【図３】
0004131826.tif 000004
【図４】
0004131826.tif 000005
【図５】
0004131826.tif 000006
【図６】
0004131826.tif 000007
【図７】
0004131826.tif 000008
【図８】
0004131826.tif 000009
【図９】
0004131826.tif 000010
【図１０】
0004131826.tif 000011
【図１１】
0004131826.tif 000012
【図１２】
0004131826.tif 000013